(57)【要約】【課題】通行経路を探索しストレス度が相対的に低い経路（推奨経路）を表示することができる通行経路探索システムを提供する。【解決手段】情報記憶装置２０の記憶部２１に、通行経路探索装置１０の使用者とは異なる人物（プローブ端末保有者）が各通行経路を通行したときに計測した生体情報を、当該生体情報を計測した通行経路と対応付けて記憶する。情報記憶装置２０（又は通行経路探索装置１０）は、使用者が入力した目的地を取得すると、当該目的地までの通行経路候補を複数探索する。このとき、情報記憶装置２０は、探索した通行経路候補に対応する生体情報を記憶部２１から取得する。そして、通行経路探索装置１０は、記憶部２１から取得した生体情報をもとに、複数の通行経路候補の中から推奨経路を選択し、これを当該推奨経路に対応した生体情報と共に表示する。【選択図】      図１
2014163793.tif 000002
【特許請求の範囲】
【請求項１】
使用者が入力した目的地までの通行経路を探索する通行経路探索システムであって、
前記使用者とは異なる人物が各通行経路を通行したときに計測した生体情報を、少なくとも当該生体情報を計測した通行経路と対応付けて記憶する生体情報記憶部と、
前記使用者が入力した目的地を取得する目的地取得部と、
前記目的地取得部で取得した目的地までの通行経路の候補を、複数探索する通行経路探索部と、
前記通行経路探索部で探索した通行経路の候補に対応する生体情報を、前記生体情報記憶部から取得する生体情報取得部と、
前記生体情報取得部で取得した生体情報をもとに、前記通行経路探索部で探索した通行経路の候補の中から推奨経路を選択する推奨経路選択部と、
前記推奨経路選択部で選択した推奨経路を、当該推奨経路に対応した生体情報と共に表示する表示部と、を備えることを特徴とする通行経路探索システム。
【請求項２】
前記推奨経路選択部は、前記推奨経路を複数選択するように構成されており、
前記表示部で表示した複数の推奨経路のうち、前記使用者が採用した推奨経路の情報を記憶する経路選択履歴記憶部を備え、
前記通行経路探索部は、前記目的地取得部で取得した目的地までの通行経路の候補として、前記経路選択履歴記憶部に記憶した、前記使用者が過去に採用した推奨経路のうち前記目的地までの通行経路を優先的に探索することを特徴とする請求項１に記載の通行経路探索システム。
【請求項３】
前記使用者の行動傾向を特定する指標である属性情報を予め記憶する属性情報記憶部を備え、
前記生体情報記憶部は、前記使用者とは異なる人物が各通行経路を通行したときに計測した生体情報を、当該生体情報を計測した通行経路と、前記使用者とは異なる人物の属性情報とに対応付けて記憶するように構成されており、
前記通行経路探索部は、前記目的地取得部で取得した目的地までの通行経路の候補として、前記属性情報記憶部に記憶した属性情報に適合した通行経路を優先的に探索することを特徴とする請求項１に記載の通行経路探索システム。
【請求項４】
前記使用者と同一の属性情報で分類した同一属性分類内で、前記使用者の前記生体情報の傾向が標準傾向にあるか否かを示す属性種別を予め記憶する属性種別記憶部と、
前記通行経路探索部で探索した、前記属性情報に適合した通行経路の候補を、前記属性種別記憶部に記憶した属性種別に基づいて補正する通行経路補正部と、を備えることを特徴とする請求項３に記載の通行経路探索システム。
【請求項５】
前記使用者の生体情報を計測する生体情報計測部と、
前記生体情報計測部で計測した生体情報に基づいて、前記使用者と同一の属性情報で分類した同一属性分類内で、前記使用者の前記生体情報の傾向が標準傾向にあるか否かを示す属性種別を設定する属性種別設定部と、
前記通行経路探索部で探索した、前記属性情報に適合した通行経路の候補を、前記属性種別設定部で設定した属性種別に基づいて補正する通行経路補正部と、を備えることを特徴とする請求項３に記載の通行経路探索システム。
【請求項６】
前記生体情報は、血圧、心拍数、脈拍数、呼吸数、体温、顔画像の少なくとも１つであることを特徴とする請求項１〜５の何れか１項に記載の通行経路探索システム。
【請求項７】
前記属性情報は、性別、年齢、職業、在籍地、通行手段、運転経験、道路種別、時間、天候の少なくとも１つであることを特徴とする請求項３〜６の何れか１項に記載の通行経路探索システム。
【請求項８】
前記使用者が車両の乗員であることを特徴とする請求項１〜７の何れか１項に記載の通行経路探索システム。
【請求項９】
前記使用者の使用端末である車載のナビゲーション装置と、前記ナビゲーション装置との間でデータ通信可能な情報管理サーバと、を備え、
前記情報管理サーバは、少なくとも前記生体情報記憶部と、前記通行経路探索部と、前記生体情報取得部と、を備え、
前記ナビゲーション装置は、少なくとも前記目的地取得部と、前記推奨経路選択部と、前記表示部と、を備えることを特徴とする請求項１〜８の何れか１項に記載の通行経路探索システム。
【請求項１０】
前記推奨経路選択部は、前記生体情報取得部で取得した生体情報をもとに、前記通行経路探索部で探索した通行経路の候補を通行したときの前記使用者の生体情報への影響度を算出し、当該影響度に基づいて前記推奨経路を選択することを特徴とする請求項１〜９の何れか１項に記載の通行経路探索システム。
【発明の詳細な説明】
【技術分野】
【０００１】
本発明は、目的地までの通行経路を探索する通行経路探索システムに関する。
【背景技術】
【０００２】
従来、目的地までの経路を探索し運転者に提供する経路探索装置として、例えば特許文献１に記載の技術がある。この技術は、プローブカーから収集したプローブデータ、特にストレス情報をもとに、快適な通行経路を探索するものである。
【先行技術文献】
【特許文献】
【０００３】
【特許文献１】特許第４７４８３８９号公報
【発明の概要】
【発明が解決しようとする課題】
【０００４】
しかしながら、上記特許文献１に記載の技術にあっては、プローブカーが経路上にいない時間帯や場所では、プローブデータが得られない。そのため、この場合、プローブデータを用いた経路探索装置での経路案内に支障を来すことになる。
そこで、本発明は、通行経路を探索しストレス度が相対的に低い経路（推奨経路）を表示することができる通行経路探索システムを提供することを課題としている。
【課題を解決するための手段】
【０００５】
上記課題を解決するために、本発明の一態様は、生体情報記憶部で、使用者とは異なる人物が各通行経路を通行したときに計測した生体情報を、当該生体情報を計測した通行経路と対応付けて記憶する。使用者が入力した目的地を取得すると、当該目的地までの通行経路の候補を複数探索する。次に、探索した通行経路の候補に対応する生体情報を生体情報記憶部から取得し、取得した生体情報をもとに、通行経路の候補の中から推奨経路を選択する。そして、選択した推奨経路を、当該推奨経路に対応した生体情報と共に表示する。
【発明の効果】
【０００６】
本発明によれば、過去に他人が通行経路を通行したときの生体情報を蓄積しておき、その情報もとに経路探索を行う。そのため、使用者がこれまでに通行したことのない経路や、現在プローブカーが走行していない経路についても、使用者の生体への影響度に応じた経路探索が可能となる。その結果、ストレス度が相対的に低い経路（推奨経路）を表示することができる。
【図面の簡単な説明】
【０００７】
【図１】第１の実施形態に係る通行経路探索システムの概略構成図である。
【図２】記憶部に記憶している生体情報データベースの一例を示す図である。
【図３】通行経路探索処理手順を示すフローチャートである。
【図４】推奨経路の表示例である。
【図５】生体情報取得処理手順を示すフローチャートである。
【図６】経路探索方法を説明するための図である。
【図７】第２の実施形態に係る通行経路探索システムの概略構成図である。
【図８】第２の実施形態における通行経路探索処理手順を示すフローチャートである。
【図９】第２の実施形態における生体情報取得処理手順を示すフローチャートである。
【図１０】第３の実施形態に係る通行経路探索システムの概略構成図である。
【図１１】第３の実施形態における通行経路探索処理手順を示すフローチャートである。
【図１２】第３の実施形態における生体情報取得処理手順を示すフローチャートである。
【図１３】記憶部に記憶している生体情報データベースの一例を示す図である。
【図１４】ある経路、ある属性での血圧分布を示す図である。
【図１５】第４の実施形態における生体情報取得処理手順を示すフローチャートである。
【図１６】生体情報の補正方法を説明する図である。
【図１７】第５の実施形態に係る通行経路探索システムの概略構成図である。
【図１８】第５の実施形態における通行経路探索処理手順を示すフローチャートである。
【図１９】第５の実施形態における生体情報取得処理手順を示すフローチャートである。
【発明を実施するための形態】
【０００８】
以下、本発明の実施の形態を図面に基づいて説明する。
（第１の実施の形態）
（構成）
図１は、本実施形態に係る通行経路探索システムの概略構成図である。
図中、符号１は通行経路探索システムであり、通行経路探索装置１０と、車外の情報記憶装置２０と、プローブ端末３０とを備える。通行経路探索装置１０と情報記憶装置２０とは通信ネットワーク等を介してデータ通信が可能となっている。また、情報記憶装置２０とプローブ端末３０も通信ネットワーク等を介してデータ通信が可能となっている。
【０００９】
通行経路探索装置１０は、例えば、車両に搭載したナビゲーション装置であり、使用者（ここでは、車両の乗員）が目的地の情報を入力したとき、出発地から目的地までの通行経路を提示、案内する。
なお、ここでは、通行経路探索装置１０を車両に搭載した場合について説明するが、例えば携帯電話に内蔵することもできる。この場合、使用者は歩行者であってもよい。また、使用者はこの他に、自転車に乗った人物やバスの乗員でもよい。
【００１０】
この通行経路探索装置１０は、入力部１１と、処理部１２と、表示部１３と、送受信部１４とを備える。
入力部１１は、キーボードやリモコン、タッチスイッチ等を用いて使用者が入力した情報を取得する。取得する情報として、例えば目的地の情報がある。目的地の情報とは、目的地の名称、住所、座標等である。入力部１１は、取得した情報を処理部１２へ送信する。
【００１１】
処理部１２は、入力部１１から目的地の情報を受信すると、出発地を設定し、当該出発地から目的地までの通行経路を探索する通行経路探索処理を実施する。ここで、使用者が入力部１１から出発地の情報を入力している場合には、その情報をもとに出発地を設定する。一方、使用者が出発地の情報を入力していない場合には、使用者が目的地を入力した時点での車両位置を出発地として設定する。この通行経路探索処理では、処理部１２は、情報記憶装置２０に記憶した情報をもとに、使用者に適合した通行経路を探索し、その情報を表示部１３に送信する。この通行経路探索処理については後述する。
【００１２】
表示部１３は、処理部１２が送信した通行経路探索結果を表示画面に表示する。
送受信部１４は、情報記憶装置２０が備える送受信部２２との間でデータを送受信する。情報記憶装置２０に対して送信するデータとしては、出発地の情報及び目的地の情報がある。また、情報記憶装置２０から受信するデータとしては、後述する情報記憶装置２０の記憶部２１に記憶した情報がある。
情報記憶装置２０は、記憶部２１と、送受信部２２と、処理部２３と、受信部２４とを備える。
【００１３】
記憶部２１は、プローブ端末３０を保有する人物（プローブ端末保有者）の生体情報を、少なくとも経路特定情報と対応付けた生体情報データベースを記憶している。ここで、生体情報とは、血圧、心拍数、脈拍数、呼吸数、体温、顔画像等である。また、経路特定情報とは、通行経路を特定するための情報であり、交差点情報、ノード情報、リンク情報がある。ノード情報とは、経路上の一地点に関する情報であり、ノード間を接続するものをリンクと呼ぶ。本実施形態では、複数のノード列のそれぞれの間をリンクで接続することによって経路を表現するものとする。
【００１４】
この記憶部２１は、例えば図２に示すように、ノード間を結ぶリンク（走行区間）毎に生体情報を分類して記憶する。なお、図２において、ノードＡとノードＢとを結ぶリンクを走行区間（Ａ→Ｂ）と表記している。記憶部２１が走行区間毎に記憶する生体情報は、複数のプローブ端末保有者の生体情報を統計処理したデータであり、例えば平均値を記憶する。
【００１５】
また、生体情報としては測定値を記憶するのではなく、生体情報に予め区分を設定し、区分に応じた数値を記憶するようにしてもよい。例えば、収縮期血圧の場合、１２０未満が区分Ａ、１２０以上１４５未満が区分Ｂ、１４５以上が区分Ｃと規定しておき、これらの区分を点数化しておく。そして、その点数を統計処理し、記憶部２１に記憶するようにする。
さらに、この記憶部２１は、走行区間毎に、生体情報を記憶してからの経過時間についても記憶しておくものとする。
送受信部２２は、上述したように、通行経路探索装置１０が備える送受信部１４との間でデータを送受信する。
【００１６】
処理部２３は、送受信部２２を介して通行経路探索装置１０から出発地の情報及び目的地の情報を入力したとき、その出発地と目的地との間の経路特定情報に紐付いた生体情報を記憶部２１から取得する。そして、取得した生体情報を通行経路探索装置１０に送信するための指令を送受信部２２に送信する。また、処理部２３は、後述する受信部２４を介してプローブ端末３０からプローブ端末保有者の生体情報を受信したとき、その生体情報を記憶部２１に記憶する。これらの処理部２３で実行する生体情報取得処理については後述する。
【００１７】
受信部２４は、プローブ端末３０が備える送信部３１が送信するデータを受信する。プローブ端末３０からは、プローブ端末保有者の生体情報を受信するようになっている。
プローブ端末３０は、送信部３１と、位置情報取得部３２と、生体情報取得部３３と、処理部３４とを備える。
送信部３１は、上述したように、情報記憶装置２０が備える受信部２４に対してデータを送信する。
【００１８】
位置情報取得部３２は、プローブ端末３０の現在地の情報を定期的に取得し、処理部３４に送信する。現在地の情報とは、現在地の名称、住所、座標等であり、例えばＧＰＳ（Global Positioning System）受信装置で計測する。また、プローブ端末３０が携帯電話である場合には、基地局との位置関係から現在地を推定することもできる。さらに、プローブ端末３０を車両に搭載している場合には、車載の車輪速センサ、地磁気センサ、ジャイロセンサ等の各種センサで計測したデータから現在地を求めることもできる。
【００１９】
生体情報取得部３３は、プローブ端末保有者の生体情報を、位置情報取得部３２の現在地情報取得処理と同期して定期的に取得し、処理部３４に送信する。この生体情報取得部３３は、例えば、血圧計、心電図センサ、脈波センサ、呼吸センサ、脳波センサ、温度センサ、撮像装置等から構成する。
処理部３４は、位置情報取得部３２で取得した現在値の情報と、生体情報取得部３３で取得した生体情報とを入力し、これらを情報記憶装置２０に送信するための指令を送信部３１に送信する。
【００２０】
（通行経路探索処理）
次に、通行経路探索装置１０の処理部１２で実行する通行経路探索処理について、具体的に説明する。
図３は、処理部１２で実行する通行経路探索処理手順を示すフローチャートである。この通行経路探索処理は所定時間毎に繰り返し実行する。
先ずステップＳ１で、処理部１２は、使用者が目的地の情報を入力したか、即ち入力部１１を介して目的地の情報を受信したか否かを判定する。そして、目的地の情報を入力したと判定した場合にはステップＳ２に移行し、目的地の情報が未入力であると判定した場合には通行経路探索処理を終了する。
【００２１】
ステップＳ２では、処理部１２は、出発地を設定する。ここでは、目的地と同様に使用者がキーボードや画面入力装置等により出発地を入力している場合には、その情報を取得する。また、乗員が出発地を入力していない場合には、乗員が目的地の情報を入力したときの現在位置を出発地として設定する。その際、出発地の情報は、ＧＰＳ受信装置等から取得する。
【００２２】
次にステップＳ３で、処理部１２は、前記ステップＳ１で取得した目的地の情報と、前記ステップＳ２で設定した出発地の情報とを送受信部１４に送信し、ステップＳ４に移行する。これにより、送受信部１４から情報記憶装置２０へ目的地の情報と出発地の情報とを送信することになる。
ステップＳ４では、処理部１２は、情報記憶装置２０が目的地及び出発地の受信を受けて送信した、出発地・目的地間の複数の通行経路候補の生体情報を、送受信部１４を介して受信する。このとき受信する生体情報は、出発地と目的地とを結ぶ通行経路候補を構成する走行区間を特定するためのノード情報に対応付けられた生体情報である。
【００２３】
次にステップＳ５では、処理部１２は、前記ステップＳ４で受信した生体情報を用いて、複数の通行経路候補の中から使用者に適合した最適な経路（推奨経路）を選択する。推奨経路は、生体情報や、目的地までの所要時間、目的地までの距離などの経路探索の優先項目に基づいて所定数（例えば３経路）選択する。
すなわち、使用者が優先項目として生体情報を指定している場合、生体情報への悪影響が少ない経路を推奨経路として選択する。具体的には、使用者が優先項目として生体情報中の血圧値を指定している場合、複数の通行経路候補について、それぞれ血圧値への影響度を算出する。例えば、血圧値への影響度としては、対象とする通行経路候補を通行したときの血圧最大上昇値や平均血圧上昇値を用いる。そして、複数の通行経路候補のうち血圧値への悪影響が少ない順に推奨経路を選択する。
【００２４】
また、乗員が優先項目として目的地までの所要時間を指定している場合には、目的地までの所要時間が短い順に推奨経路を選択する。同様に、乗員が優先項目として目的地までの距離を指定している場合には、目的地までの距離が短い順に推奨経路を選択する。
そして、ステップＳ６では、処理部１２は、前記ステップＳ５で探索した推奨経路の情報と、当該推奨経路に対応する生体情報とを表示部１３に送信し、通行経路探索処理を終了する。これにより、表示部１３に推奨経路を表示する。表示部１３に推奨経路を表示する際には、各推奨経路を、それぞれ対応する生体情報と共に表示する。
【００２５】
図４は、推奨経路の表示例である。この図４では、推奨経路を２経路とし、表示する生体情報を血圧値のみとしている。血圧値を表示する際、図４に示すように、その経路を素行したときの平均血圧値、最大血圧値、最小血圧値を表示するのが好ましい。なお、推奨経路と共に表示する生体情報は、使用者が適宜指定することができる。
また、このとき、各推奨経路の推奨度を併せて表示してもよい。２経路を比較すると、経路Ａの最大血圧値は１３６、経路Ｂの最大血圧値は１１７となっている。すなわち、経路Ｂの方が経路Ａと比較してストレス度の低い経路であるといえる。したがって、この場合、経路Ｂの推奨度を高く設定し、これが認識可能となるように、例えば表示する色や強度を分けるなど、表示方法を変えるようにしてもよい。
【００２６】
さらに、図４に示すように、推奨経路上において、血圧が最大値となるエリアを表示することで、緊張状態の起こり易い地点を知らせるようにしてもよい。これにより、使用者はその地点を避けるような経路選択をすることができる。また、やむを得ず通過しなくてはならない場合であっても、使用者は緊張状態の起こり易い地点を知っておくことで警戒することができるので、効果的である。
【００２７】
（生体情報取得処理）
次に、情報記憶装置２０の処理部２３で実行する生体情報取得処理について、具体的に説明する。
図５は、処理部２３で実行する生体情報取得処理手順を示すフローチャートである。この生体情報取得処理は所定時間毎に繰り返し実行する。
先ずステップＳ１１で、処理部２３は、通行経路探索装置１０から目的地の情報及び出発地の情報を受信したか否かを判定する。そして、目的地及び出発地の情報を受信したと判定した場合にはステップＳ１２に移行し、目的地及び出発地の情報を受信していないと判定した場合には、後述するステップＳ１４に移行する。
【００２８】
ステップＳ１２では、処理部２３は、前記ステップＳ１１で受信した目的地及び出発地の情報に基づいて、先ず、出発地と目的地とを結ぶ通行経路を、地図情報をもとに一般的な経路抽出ロジック（探索ロジック）を用いて探索する。そして、探索したすべての通行経路を出発地・目的地間を結ぶ通行経路候補とし、これら通行経路候補の生体情報を記憶部２１から取得する。
【００２９】
次にステップＳ１３では、処理部２３は、前記ステップＳ１２で記憶部２１から取得した通行経路候補の生体情報を、当該通行経路候補を構成する各走行区間を特定するためのノード情報と対応付けて送受信部２２に送信し、生体情報取得処理を終了する。これにより、送受信部２２から通行経路探索装置１０へ、使用者が設定した出発地と目的地とを結ぶ全通行経路候補に対応する生体情報を送信することになる。
ステップＳ１４では、処理部２３は、プローブ端末３０からプローブ端末保有者の生体情報を受信したか否かを判定する。そして、生体情報を受信したと判定した場合にはステップＳ１５に移行し、生体情報を受信していないと判定した場合には生体情報取得処理を終了する。
【００３０】
ステップＳ１５では、処理部２３は、先ず、前記ステップＳ１４で受信したプローブ端末保有者の生体情報を、併せて受信したプローブ端末３０の現在地の情報をもとに分類する。すなわち、プローブ端末保有者の生体情報が、記憶部２１に記憶している生体情報のどの分類項目（走行区間）に当てはまるかを判定する。そして、記憶部２１から対応する生体情報を読み出し、プローブ端末保有者の生体情報を累積する。すなわち、受信したプローブ端末保有者の生体情報が、走行区間（Ａ→Ｂ）を通行したときの情報である場合には、記憶部２１から走行区間（Ａ→Ｂ）に対応する生体情報を読み出し、これに受信したプローブ端末保有者の生体情報を加えるものとする。
次にステップＳ１６では、処理部２３は、前記ステップＳ１５の累積処理結果を記憶部２１に記憶し、生体情報取得処理を終了する。
【００３１】
（動作）
次に、第１の実施形態の動作について説明する。
プローブ端末３０は、プローブ端末保有者の生体情報を計測し、これを現在位置情報と共に定期的に情報記憶装置２０へ送信する。すると、情報記憶装置２０は、プローブ端末３０が送信したプローブデータを受信し（図５のステップＳ１４でＹｅｓ）、これを走行区間毎に分類し記憶部２１に記憶する（ステップＳ１５、Ｓ１６）。このように、情報記憶装置２０は、複数のプローブ端末３０がそれぞれ送信した、プローブ端末保有者の生体情報を含むプローブデータを記憶部２１に蓄積しておく。そして、通行経路探索装置１０は、情報記憶装置２０に記憶した生体情報を含むプローブデータをもとに経路探索を行い、その情報を提示する。
【００３２】
通行経路探索装置１０を搭載した車両の乗員が、ナビゲーション装置を操作して出発地及び目的地を入力すると、通行経路探索装置１０は、出発地の情報と目的地の情報とを情報記憶装置２０に送信する（図３のステップＳ３）。すると、情報記憶装置２０は、通行経路探索装置１０が送信した出発地の情報と目的地の情報とを受信し（図５のステップＳ１１でＹｅｓ）、その出発地と目的地とを結ぶ通行経路における各走行区間の生体情報を記憶部２１から取得する（ステップＳ１２）。
【００３３】
例えば図６に示すように、出発地Ｓと目的地Ｇとの間に、ノードＡ１〜Ａ３及びＢ１〜Ｂ３が存在しているものとする。そして、情報記憶装置２０が、一般的な経路探索ロジックにより、Ｓ→Ａ１→Ｂ１→Ｇ（経路Ａ）、Ｓ→Ａ２→Ｂ２→Ｇ（経路Ｂ）、Ｓ→Ａ３→Ｂ３→Ｇ（経路Ｃ）の３つの経路を通行経路候補として探索したものとする。この場合、情報記憶装置２０は、上記３つの経路上の各走行区間（Ｓ→Ａ１、Ａ１→Ｂ１、Ｂ１→Ｇ、Ｓ→Ａ２、Ａ２→Ｂ２、Ｂ２→Ｇ、Ｓ→Ａ３、Ａ３→Ｂ３、Ｂ３→Ｇ）の生体情報を記憶部２１から取得する。そして、取得したこれらの生体情報を、経路特定情報と共に通行経路探索装置１０に送信する（ステップＳ１３）。
【００３４】
通行経路探索装置１０は、情報記憶装置２０から出発地Ｓと目的地Ｇとの間の３つの通行経路候補の生体情報を受信すると（図３のステップＳ４）、その情報を用いて推奨経路を選択する（ステップＳ５）。ここで、通行経路探索装置１０は、３つの通行経路候補の中から、生体情報に悪影響の少ない経路を推奨経路として選択する。その結果、例えばＳ→Ａ１→Ｂ１→Ｇ（経路Ａ）、Ｓ→Ａ２→Ｂ２→Ｇ（経路Ｂ）の２つの経路を推奨経路として選択したものとすると、通行経路探索装置１０は、表示部１３にこれを表示する（ステップＳ６）。このとき、図４に示すように、推奨経路と共に生体情報も表示する。
【００３５】
そして、表示部１３の表示を確認した乗員が、所定数の推奨経路のうち自身が採用する経路を確定すると、ナビゲーション装置は乗員が確定した経路でのナビゲーションを開始する。これにより、車両の乗員は、経路案内を確認しながら最適な経路で目的地まで進むことができる。
このように、使用者とは異なる人物が各通行経路を通行したときに計測した生体情報を、当該生体情報を計測した通行経路と対応付けて蓄積しておき、この蓄積したプローブデータをもとに、使用者の生体情報への影響度が低い通行経路を探索する。
【００３６】
使用者の生体情報への悪影響が少ない経路を探索する手法としては、自身の生体情報を計測、記憶しておき、以前に通行した走行区間における生体情報への影響度を参照して最適な経路を選択する方法がある。ところが、この場合、これまでに通行したことのない経路については、生体情報への影響度が不明であるため、最適な経路探索が行えない。また、別の手法として、出発地と目的地との間を結ぶ通行経路候補上を走行している他車両の生体情報をリアルタイムで取得し、取得した生体情報をもとに最適な経路を選択する方法もある。ところが、この場合には、車通りの少ない時間帯や場所など、プローブカーが通行経路候補上を走行していない場合、最適な経路探索が行えない。
【００３７】
これに対して、本実施形態では、これまでに通行したことのない経路や、現在プローブカーが走行していない経路であっても、その経路を通行したときの生体情報を入手し、経路探索に用いることができる。すなわち、見通しが悪いために注意が必要となり血圧が高くなりやすい場所や、車速の高い一般道で煽られること等により心拍数が高くなりやすい場所等の情報を得ることができる。したがって、健康状態への悪影響が少ない経路を適切に探索することができる。
【００３８】
また、通行経路探索に際し、出発地の情報と目的地の情報のみを情報記憶装置２０へ送信し、情報記憶装置２０内で通行経路候補を探索するので、通行経路探索装置１０の計算負荷を低減することができる。したがって、通行経路探索装置１０の軽量化や小型化を実現することができると共に、発熱量を小さくすることが可能になる。
なお、図３において、ステップＳ１が目的地取得部に対応し、ステップＳ４が生体情報取得部に対応し、ステップＳ５が推奨経路選択部に対応し、ステップＳ６及び表示部１３が表示部に対応している。また、図５において、ステップＳ１４〜Ｓ１６及び記憶部２１が生体情報記憶部に対応し、ステップＳ１２が通行経路探索部に対応し、ステップＳ１３が生体情報取得部に対応している。
【００３９】
（効果）
第１の実施形態では、以下の効果が得られる。
（１）情報記憶装置２０は、使用者とは異なる人物が各通行経路を通行したときに計測した生体情報を、少なくとも当該生体情報を計測した通行経路と対応付けて記憶する。また、通行経路探索装置１０は、使用者が入力した目的地を取得する。そして、情報記憶装置２０は、使用者が入力した目的地までの通行経路候補を複数探索し、探索した通行経路候補に対応する生体情報を記憶部２１から取得する。通行経路探索装置１０は、情報記憶装置２０で取得した通行経路候補の生体情報をもとに、当該通行経路候補の中から推奨経路を選択し、これを当該推奨経路に対応した生体情報と共に表示する。
【００４０】
このように、これまでにプローブ端末保有者が各通行経路を通行したときの生体情報を蓄積しておき、蓄積した生体情報をもとに通行経路探索を行う。そのため、使用者がこれまでに通行したことのない経路や、現在プローブカーが走行していない経路についても、使用者の生体情報への影響度に応じた経路探索が可能となる。
また、推奨経路を表示する際には、当該推奨経路に対応した生体情報を併せて表示するので、使用者は、各経路の生体情報への影響度を容易に認識することができる。そのため、使用者は生態情報へ悪影響を与える可能性のある経路を避けたり、やむを得ず通過しなくてはならない場合であっても、緊張状態の起こり易い経路であること（例えば、歩行者に対して警戒すべき経路である等）を認識しながら通行したりすることができる。
【００４１】
（２）生体情報は、血圧、心拍数、脈拍数、呼吸数、体温、顔画像の少なくとも１つとする。このように、生体情報として、特に緊張状態や弛緩状態（眠気等）の他、肉体的負荷の大小が反映されやすい情報を用いるので、様々な状況に対応した通行経路探索が可能となり、好適である。
（３）使用者は、車両の乗員である。したがって、車両の運転者に対して目的地までの通行経路を適切に提示することができる。
【００４２】
（４）使用者の使用端末である車載のナビゲーション装置（通行経路探索装置１０）と、ナビゲーション装置との間でデータ通信可能な情報管理サーバ（情報記憶装置２０）と、を備える。情報管理サーバは、生体情報記憶部と、通行経路探索部と、生体情報取得部と、を備える。ナビゲーション装置は、目的地取得部と、推奨経路選択部と、表示部と、を備える。
このように、サーバ側で生体情報データベースを記憶するので、車両側に大容量のメモリを搭載する必要がない。また、サーバ側で通行経路探索を行うので、車両側（ナビゲーション装置）の計算負荷を低減することができる。したがって、ナビゲーション装置の軽量化や小型化を実現することができると共に、発熱量を小さくすることが可能になる。
【００４３】
（５）通行経路探索装置１０は、報記憶装置２０で取得した通行経路候補の生体情報をもとに、各通行経路候補を通行したときの使用者の生体情報への影響度を算出し、当該影響度に基づいて推奨経路を選択する。
これにより、使用者が入力した目的地までの通行経路として、使用者の生体情報への悪影響が少ない経路を推奨経路として選択することができる。したがって、使用者は、快適な通行経路を通って目的地に辿り着くことができる。
【００４４】
（第１の実施形態の変形例）
（１）上記実施形態では、通行経路探索装置１０を車両に搭載し、乗員がこれを使用する場合について説明したが、通行経路探索装置１０を携帯電話に内蔵すれば、歩行者がこれを使用することもできる。この場合、各走行区間における生体情報を取得することで、車の通行量が多く横断歩道を渡る際に注意が必要な交差点や、坂道により心拍数が高くなりやすい場所等の情報を得ることができる。したがって、経路探索の優先項目に応じて、健康状態への悪影響が少ない経路を探索したり、また逆に、運動の効果を上げるための経路を探索したりすることが可能となる。
【００４５】
（２）上記実施形態では、通行経路探索装置１０に過去の使用経路の生体情報を記憶する記憶手段を設け、そこに生体情報を記憶しておくこともできる。この場合、生体情報取得処理が済んでいるものとし、図３のステップＳ３及びＳ４の処理を省略することができる。したがって、通行経路探索の処理時間を短縮することができる。
【００４６】
（３）上記実施形態では、通行経路探索装置１０が出発地の情報と目的地の情報とを入力した時点で、通行経路探索装置１０が一般的な経路探索手法を用い、生体情報によらない出発地、目的地間の通行経路探索を事前に行ってもよい。この場合、通行経路探索装置１０から情報記憶装置２０へ送信するのは、探索した通行経路候補のノード情報とし、通行経路探索装置１０は、その通行経路候補上の各走行区間における生体情報を情報記憶装置２０から取得するようにする。この場合にも、上述した情報記憶装置２０内で経路探索処理を行う場合と同様の経路探索結果が得られる。
【００４７】
（第２の実施形態）
次に、本発明の第２の実施形態について説明する。
この第２の実施形態は、上述した第１の実施形態において、目的地までの経路のうち、使用者が過去に実際に選択したことのある経路を推奨経路として探索するようにしたものである。
（構成）
図７は、第２の実施形態における通行経路探索システム１の概略構成図である。
この通行経路探索システム１は、図１に示す通行経路探索装置１０において、経路選択履歴記憶部１５を追加したことを除いては、図１と同様の構成を有する。
経路選択履歴記憶部１５は、表示部１３に表示した所定数の推奨経路のうち、実際に使用者が選択した経路の情報（経路選択履歴）を記憶するものである。ここで、経路選択履歴は、経路を特定する情報（ノード情報等）や当該経路を選択した回数などを含む。
【００４８】
（通行経路探索処理）
図８は、本実施形態における通行経路探索装置１０の処理部１２で実行する通行経路探索処理手順を示すフローチャートである。この通行経路探索処理は、所定時間毎に繰り返し実行する。
先ずステップＳ２１で、処理部１２は、前記ステップＳ１と同様に、使用者が目的地の情報を入力したか、即ち入力部１１を介して目的地の情報を受信したか否かを判定する。そして、目的地の情報を入力したと判定した場合にはステップＳ２２に移行し、目的地の情報が未入力であると判定した場合には通行経路探索処理を終了する。
ステップＳ２２では、処理部１２は、前記ステップＳ２と同様に、出発地を設定する。
【００４９】
次にステップＳ２３では、処理部１２は、経路選択履歴記憶部１５を参照し、出発地及び目的地の情報が一致する経路選択履歴を経路選択履歴記憶部１５から取得し、ステップＳ２４に移行する。
ステップＳ２４では、前記ステップＳ２１で取得した目的地の情報と、前記ステップＳ２２で設定した出発地の情報と、前記ステップＳ２３で取得した経路選択履歴の情報とを送受信部１４に送信し、ステップＳ２５に移行する。これにより、送受信部１４から情報記憶装置２０へ、目的地の情報と出発地の情報と経路選択履歴の情報とを送信することになる。
【００５０】
ステップＳ２５では、処理部１２は、情報記憶装置２０が目的地、出発地及び経路選択履歴の受信を受けて送信した、出発地・目的地間の複数の通行経路候補の生体情報を、送受信部１４を介して受信する。このとき受信する生体情報は、出発地と目的地とを結ぶ通行経路のうち、経路選択履歴にマッチした通行経路の生体情報である。
次にステップＳ２６では、処理部１２は、前記ステップＳ２５で受信した生体情報を用いて、複数の通行経路候補の中から使用者に適合した最適な経路（推奨経路）を選択する。例えば、推奨経路は、経路選択履歴にマッチした通行経路のうち、使用者が良く選択している通行経路から順に所定数（例えば３経路）選択する。
【００５１】
ステップＳ２７では、処理部１２は、前記ステップＳ２６で探索した推奨経路の情報と、当該推奨経路に対応する生体情報とを表示部１３に送信し、ステップＳ２８に移行する。これにより、表示部１３に推奨経路を表示する。表示部１３に推奨経路を表示する際には、各推奨経路を、それぞれ対応する生体情報と共に表示する。
ステップＳ２８では、処理部１２は、表示部１３に推奨経路を表示した後、使用者が実際に通行する経路を選択したか否かを判定する。ここでは、使用者が、通行経路探索装置１０に設置したキーボードや画面入力装置等から経路を入力したことをもって、経路を選択したと判断する。
【００５２】
また、車両にＧＰＳ受信装置等が付いている場合であれば、車両が通行経路の移動を始めることで、経路を選択したと判断するようにしてもよい。さらに、通行経路探索装置１０を携帯電話に内蔵している場合であれば、基地局による位置情報認識装置によって使用者が通行経路の移動を始めたと判断するようにしてもよい。
そして、このステップＳ２８では、処理部１２は、経路を選択していないと判断した場合にはそのまま待機し、経路を選択したと判断するとステップＳ２９に移行する。
ステップＳ２９では、処理部１２は、使用者が選択した経路に基づいて経路選択履歴の情報を作成し、これを経路選択履歴記憶部１５に記憶してから通行経路探索処理を終了する。
【００５３】
（生体情報取得処理）
図９は、本実施形態における情報記憶装置２０の処理部２３で実行する生体情報取得処理手順を示すフローチャートである。この生体情報取得処理は、図５におけるステップＳ１１をステップＳ３１に置換し、ステップＳ１２をステップＳ３２に置換したことを除いては、図５と同様の処理を行う。
ステップＳ３１では、処理部２３は、通行経路探索装置１０から目的地の情報、出発地の情報、及び経路探索履歴の情報を受信したか否かを判定する。そして、これらを受信したと判定した場合にはステップＳ３２に移行し、これらを受信していないと判定した場合には、前記ステップＳ１４に移行する。
【００５４】
ステップＳ３２では、処理部２３は、前記ステップＳ３１で受信した経路選択履歴にマッチする通行経路を出発地・目的地間を結ぶ通行経路候補とし、その通行経路候補の生体情報を記憶部２１から取得し、前記ステップＳ１３に移行する。また、このとき、経路選択履歴にマッチした通行経路の他に、当該経路選択履歴から想定される使用者の経路選択傾向（血圧値の低いルートを良く選択している等）を反映した通行経路についても、通行経路候補として設定して生体情報も取得する。
なお、使用者が入力した出発地・目的地間の経路を、当該使用者がこれまで一度も通行したことがない場合には、上述した第１の実施形態（図５のステップＳ１２）と同様の方法で通行経路候補の探索と、生体情報の取得を行う。
【００５５】
（動作）
次に、第２の実施形態の動作について説明する。
通行経路探索装置１０は、情報記憶装置２０に記憶した生体情報を含むプローブデータをもとに目的地までの経路探索を行い、所定数の推奨経路を提供する。そして、使用者が実際に選択した通行経路の情報を、経路選択履歴として記憶しておく。
通行経路探索装置１０を搭載した車両の乗員が、ナビゲーション装置を操作して出発地及び目的地を入力すると、通行経路探索装置１０は、先ず経路選択履歴を参照する。このとき、出発地及び目的地が、乗員が入力した出発地及び目的地と等しい経路を選択した履歴がある場合には、その経路の情報を取得する（図８のステップＳ２３）。取得した経路選択履歴は、乗員が入力した出発地及び目的地の情報と共に情報記憶装置２０に送信する（ステップＳ２４）。
【００５６】
すると、情報記憶装置２０は、通行経路探索装置１０が送信した出発地及び目的地の情報と経路選択履歴の情報とを受信する（図９のステップＳ３１でＹｅｓ）。そして、その出発地から目的地まで間の通行経路のうち、経路選択履歴とマッチする通行経路における各走行区間の生体情報を記憶部２１から取得する（ステップＳ３２）。
例えば図６に示すように、出発地Ｓと目的地Ｇとの間に、ノードＡ１〜Ａ３及びＢ１〜Ｂ３が存在しており、Ｓ→Ａ１→Ｂ１→Ｇの経路が経路選択履歴にマッチするものとする。この場合、情報記憶装置２０は、Ｓ→Ａ１→Ｂ１→Ｇの経路上の各走行区間（Ｓ→Ａ１、Ａ１→Ｂ１、Ｂ１→Ｇ）の生体情報を記憶部２１から取得する。
【００５７】
また、Ｓ→Ａ１→Ｂ１→Ｇの経路が、例えば血圧値を低く抑えられるルートである場合には、情報記憶装置２０は、乗員は血圧値を低く押さえられるルートをよく選択する傾向があると判断する。そして、同じく血圧値を低く抑えられるルート（例えば、Ｓ→Ａ２→Ｂ２→Ｇ）についても通行経路候補とし、当該経路上の各走行区間（Ｓ→Ａ２、Ａ２→Ｂ２、Ｂ２→Ｇ）の生体情報を記憶部２１から取得する。
このように、情報記憶装置２０は、経路選択履歴にマッチする経路や、経路選択履歴から想定される使用者の選択傾向にマッチした経路を、通行経路候補として探索する。そして、これら通行経路候補の生体情報を取得し、これを通行経路探索装置１０に送信する（ステップＳ１３）。
【００５８】
通行経路探索装置１０は、情報記憶装置２０から出発地と目的地との間の２つの通行経路候補の生体情報を受信すると（図８のステップＳ２５）、その情報を用いて推奨経路を選択する（ステップＳ２６）。このとき、通行経路探索装置１０は、経路選択履歴にマッチした経路（Ｓ→Ａ１→Ｂ１→Ｇ）を最も優先度の高い推奨経路として設定し、Ｓ→Ａ１→Ｂ１→Ｇ、Ｓ→Ａ２→Ｂ２→Ｇの２つの経路を推奨経路として表示部１３に表示する（ステップＳ２７）。このとき、図４に示すように、推奨経路と共に生体情報も表示する。
【００５９】
そして、表示部１３の表示を確認した乗員が、２つの推奨経路のうち自身が採用する経路を確定すると、ナビゲーション装置は乗員が確定した経路でのナビゲーションを開始する。同時に、通行経路探索装置１０は、乗員が確定した経路の情報を経路選択履歴として記憶する（ステップＳ２９）。
このように、使用者が過去に実際に選択した経路の履歴を記憶しておき、目的地までの経路探索を行う際には、使用者が過去に実際に通行したことのある経路を優先的に探索する。すなわち、蓄積したプローブデータから当該履歴にマッチする経路の生体情報を取得し、これを提示する。これにより、使用者の傾向を反映した通行経路探索が可能となる。
なお、図８において、ステップＳ２１が目的地取得部に対応し、ステップＳ２５が生体情報取得部に対応し、ステップＳ２６が推奨経路選択部に対応し、ステップＳ２７及び表示部１３が表示部に対応している。また、図９において、ステップＳ３２が通行経路探索部に対応している。
【００６０】
（効果）
第２の実施形態では、以下の効果が得られる。
（１）通行経路探索装置１０は、推奨経路を複数選択する。また、通行経路探索装置１０は、表示部１３で表示した複数の推奨経路のうち、使用者が採用した推奨経路の情報を記憶する。そして、情報記憶装置２０は、目的地までの通行経路の候補として、使用者が過去に採用した通行経路を優先的に探索する。
このように、経路選択の履歴をもとに通行経路候補を探索し生体情報を取得するので、使用者の傾向を反映した通行経路を探索し、提示することができる。そのため、使用者は経路選択時に不要な経路を検討する必要がなくなる。
【００６１】
（第２の実施形態の変形例）
（１）上記実施形態においては、経路選択履歴を記憶する経路選択履歴記憶部１５を経路探索装置１０内に設ける場合について説明したが、経路選択履歴記憶部１５を情報記憶装置２０内に設けるようにしてもよい。この場合、経路探索装置１０から情報記憶装置２０に、使用者の情報（例えば、使用者ＩＤのようなもの）と併せて経路選択履歴の情報を送信し、情報記憶装置２０内では使用者の情報と紐付けて経路選択履歴の情報を記憶するようにすればよい。
【００６２】
（第３の実施形態）
次に、本発明の第３の実施形態について説明する。
この第３の実施形態は、上述した第２の実施形態において、経路選択履歴にマッチングした通行経路探索を行っているのに対し、使用者の属性に応じた通行経路探索を行うようにしたものである。
（構成）
図１０は、第３の実施形態における通行経路探索システム１の概略構成図である。
この通行経路探索システム１は、図１に示す通行経路探索装置１０において、属性情報記憶部１６を追加し、プローブ端末３０において、属性情報取得部３５を追加したことを除いては、図１と同様の構成を有する。
属性情報記憶部１６は、使用者の属性情報を予め記憶する。属性情報には、人物によるものと、人物以外によるものとがある。人物によるものとしては、性別、年齢、職業、在籍地、運転経験（免許取得後の年数、免許取得後の累積運転距離等）がある。人物によらないものとしては、通行手段（徒歩、自転車、バス、電車、車等）、道路種別（一般道／高速道路）、時間（朝・昼・晩）、日種（曜日、平日／休日、大型連休等）、天候、路面状態がある。
【００６３】
人物による属性については、所定の分類ルールに則って分類しておくと好適である。例えば、年齢を例に挙げると、年齢３０歳未満の若年層を年齢分類Ａ、３０歳以上５０歳未満を年齢分類Ｂ、５０歳以上６５歳未満を年齢分類Ｃ、６５歳以上の高齢者層を年齢分類Ｄに分ける。
また、個々の人物を属性で分類する際、複数の属性を組み合わせて分類するようにしてもよい。例えば、上記の年齢による分類に、行動範囲の違いが反映される可能性のある性別を加味してもよい。この場合、３０歳未満の男性、３０歳未満の女性、３０歳以上５０歳未満の男性、３０歳以上５０歳未満の女性、…といった分類方法となる。
【００６４】
本実施形態では、同一属性分類内における人物の行動傾向が、基本的に似たものになることを利用し、人物の属性情報を通行経路探索に用いるようにする。なお、これらの分類を組み合わせた情報は、使用者ＩＤのような形式で持っておくと、取得する際に簡便で好適である。
属性情報取得部３５は、プローブ端末保有者の属性情報を取得し、これを処理部３４に送信する。
【００６５】
（通行経路探索処理）
図１１は、本実施形態における通行経路探索装置１０の処理部１２で実行する通行経路探索処理手順を示すフローチャートである。この通行経路探索処理は、所定時間毎に繰り返し実行する。
先ずステップＳ４１で、処理部１２は、前記ステップＳ１と同様に、使用者が目的地の情報を入力したか、即ち入力部１１を介して目的地の情報を受信したか否かを判定する。そして、目的地の情報を入力したと判定した場合にはステップＳ４２に移行し、目的地の情報が未入力であると判定した場合には通行経路探索処理を終了する。
ステップＳ４２では、処理部１２は、前記ステップＳ２と同様に、出発地を設定する。
【００６６】
次にステップＳ４３では、処理部１２は、属性情報取得部１６を参照し、使用者の属性情報を取得し、ステップＳ４４に移行する。
ステップＳ４４では、前記ステップＳ４１で取得した目的地の情報と、前記ステップＳ４２で設定した出発地の情報と、前記ステップＳ４３で取得した属性情報とを送受信部１４に送信し、ステップＳ４５に移行する。これにより、送受信部１４から情報記憶装置２０へ、目的地の情報と出発地の情報と属性情報とを送信することになる。
【００６７】
ステップＳ４５では、処理部１２は、情報記憶装置２０が目的地、出発地及び属性情報の受信を受けて送信した、出発地・目的地間の複数の通行経路候補の生体情報を、送受信部１４を介して受信する。このとき受信する生体情報は、出発地と目的地とを結ぶ通行経路のうち、使用者の属性情報にマッチした通行経路の生体情報である。例えば、使用者が３０歳以上５０歳未満の男性である場合、出発地と目的地とを結ぶ通行経路のうち、３０歳以上５０歳未満の男性がよく使用する通行経路の生体情報を受信することになる。
【００６８】
次にステップＳ４６では、処理部１２は、前記ステップＳ４５で受信した生体情報を用いて、複数の通行経路候補の中から使用者に適合した最適な経路（推奨経路）を選択する。例えば、推奨経路は、属性情報にマッチした通行経路のうち、生体情報や、目的地までの所要時間、目的地までの距離などの経路探索の優先項目に基づいて所定数（例えば３経路）選択する。
【００６９】
ステップＳ４７では、処理部１２は、前記ステップＳ４６で探索した推奨経路の情報と、当該推奨経路に対応する生体情報とを表示部１３に送信し、通行経路探索処理を終了する。これにより、表示部１３に推奨経路を表示する。表示部１３に推奨経路を表示する際には、各推奨経路を、それぞれ対応する生体情報と共に表示する。
【００７０】
（生体情報取得処理）
図１２は、本実施形態における情報記憶装置２０の処理部２３で実行する生体情報取得処理手順を示すフローチャートである。
ステップＳ５１では、処理部２３は、通行経路探索装置１０から目的地の情報、出発地の情報、及び属性情報を受信したか否かを判定する。そして、これらを受信したと判定した場合にはステップＳ５２に移行し、これらを受信していないと判定した場合には、後述するステップＳ５４に移行する。
【００７１】
ステップＳ５２では、処理部２３は、前記ステップＳ５１で受信した目的地及び出発地の情報に基づいて、出発地と目的地とを結ぶ経路を一般的な経路抽出ロジック（探索ロジック）を用いて探索する。そして、探索した通行経路のうち、前記ステップＳ５１で受信した属性情報にマッチした人物がよく使用する通行経路を通行経路候補として設定し、その通行経路候補の生体情報を記憶部２１から取得する。このとき、通行経路候補の生体情報のうち、前記ステップＳ５１で受信した属性情報にマッチした人物の生体情報のみを取得するのが好ましい。
【００７２】
次にステップＳ５３では、処理部２３は、前記ステップＳ５２で記憶部２１から取得した通行経路候補の生体情報を、当該通行経路候補を構成する各走行区間を特定するためのノード情報と対応付けて送受信部２２に送信し、生体情報取得処理を終了する。これにより、送受信部２２から通行経路探索装置１０へ、使用者が設定した出発地と目的地とを結ぶ全通行経路候補における使用者の属性情報に対応した生体情報を送信することになる。
【００７３】
ステップＳ５４では、処理部２３は、プローブ端末３０からプローブ端末保有者の生体情報及び属性情報を受信したか否かを判定する。そして、生体情報及び属性情報を受信したと判定した場合にはステップＳ５５に移行し、生体情報及び属性情報を受信していないと判定した場合には生体情報取得処理を終了する。
ステップＳ５５では、処理部２３は、前記ステップＳ５４で受信したプローブ端末保有者の生体情報を、併せて受信したプローブ端末３０の現在地の情報及び属性情報をもとに分類する。すなわち、プローブ端末保有者の生体情報が、記憶部２１に記憶している生体情報のどの分類項目（走行区間、属性情報）に当てはまるかを判定する。ここで、生体情報は、例えば図１３に示すように、属性毎に分類したうえで、さらに走行区間毎に分類して記憶部２１に記憶しているものとする。
【００７４】
そして、記憶部２１から対応する生体情報を読み出し、プローブ端末保有者の生体情報を累積する。すなわち、プローブ端末保有者が属性分類Ａに属し、受信したプローブ端末保有者の生体情報が、走行区間（Ａ→Ｂ）を通行したときの情報である場合には、記憶部２１から属性分類Ａの走行区間（Ａ→Ｂ）に対応する生体情報を読み出す。そして、これに受信したプローブ端末保有者の生体情報を加える。
【００７５】
また、このとき、走行区間毎に累積走行回数を記憶するものとする。これにより、走行区間（Ａ→Ｂ）を属性分類Ａの人物が通行した回数と、同じ走行区間（Ａ→Ｂ）を属性分類Ｂの人物が通行した回数との比較が可能となる。すなわち、走行区間（Ａ→Ｂ）を使用する頻度の高い属性分類を統計的に把握することができる。
次にステップＳ５６では、処理部２３は、前記ステップＳ５５の累積処理結果を記憶部２１に記憶し、生体情報取得処理を終了する。
【００７６】
（動作）
次に、第３の実施形態の動作について説明する。
プローブ端末３０は、プローブ端末保有者の生体情報を計測し、これを現在位置情報及び属性情報と共に定期的に情報記憶装置２０へ送信する。すると、情報記憶装置２０は、プローブ端末３０が送信したプローブデータを受信し（図１２のステップＳ５４でＹｅｓ）、これを属性毎に分類し、さらに走行区間毎に分類して記憶部２１に記憶する（ステップＳ５５、Ｓ５６）。このように、情報記憶装置２０は、複数のプローブ端末３０が送信した生体情報を含むプローブデータを記憶部２１に蓄積しておく。そして、通行経路探索装置１０は、情報記憶装置２０に記憶した生体情報を含むプローブデータをもとに経路探索を行い、その情報を提示する。
【００７７】
通行経路探索装置１０を搭載した車両の乗員が、ナビゲーション装置を操作して出発地及び目的地を入力すると、通行経路探索装置１０は、出発地の情報と目的地の情報とを乗員の属性情報と共に情報記憶装置２０に送信する（図１１のステップＳ４４）。すると、情報記憶装置２０は、通行経路探索装置１０が送信した出発地及び目的地の情報と属性情報を受信し（図１２のステップＳ５１でＹｅｓ）、先ず、一般的な探索ロジックを用いて出発地と目的地とを結ぶ通行経路を探索する。そして、探索した通行経路のうち、乗員の属性情報にマッチした通行経路を通行経路候補として探索し、その通行経路候補の生体情報を記憶部２１から取得する（ステップＳ５２）。
【００７８】
例えば図６に示すように、出発地Ｓと目的地Ｇとの間に、ノードＡ１〜Ａ３及びＢ１〜Ｂ３が存在しており、情報記憶装置２０が、Ｓ→Ａ１→Ｂ１→Ｇ（経路Ａ）、Ｓ→Ａ２→Ｂ２→Ｇ（経路Ｂ）、Ｓ→Ａ３→Ｂ３→Ｇ（経路Ｃ）の３つの経路を一般的な探索ロジックにより探索したものとする。この場合、情報記憶装置２０は、上記３つの経路のうち、乗員の属性情報とマッチした人物がよく通行している経路を通行経路候補として探索する。その際、記憶部２１に記憶した各走行区間における累積走行回数を参照して判断する。このとき、経路Ａ及び経路Ｂを通行経路候補としたものとすると、当該経路上の各走行区間（Ｓ→Ａ１、Ａ１→Ｂ１、Ｂ１→Ｇ、Ｓ→Ａ２、Ａ２→Ｂ２、Ｂ２→Ｇ）における乗員の属性情報にマッチした生体情報を記憶部２１から取得する。そして、取得したこれらの生体情報を通行経路探索装置１０に送信する（ステップＳ５３）。
【００７９】
通行経路探索装置１０は、情報記憶装置２０から出発地Ｓと目的地Ｇとの間の各通行経路における生体情報を受信すると（図１１のステップＳ４５）、その情報を用いて推奨経路を探索する（ステップＳ４６）。ここで、通行経路探索装置１０は、２つの通行経路候補の中から、生体情報に悪影響の少ない経路を推奨経路として選択し、表示部１３にこれを表示する（ステップＳ４７）。このとき、図４に示すように、推奨経路と共に生体情報も表示する。
【００８０】
そして、表示部１３の表示を確認した乗員が、所定数の推奨経路のうち自身が採用する経路を確定すると、ナビゲーション装置は乗員が確定した経路でのナビゲーションを開始する。
同じ通行経路を通行した場合であっても、年齢や運転経験、時間帯や天候などによって運転者の生体情報への影響度は大きく異なる。例えば、高齢者や運転初心者にとっては緊張により血圧が上昇する道路であっても、若者や運転熟練者は全く動じない場合がある。そのため、年齢や運転経験、時間帯や天候などといった、所謂属性を考慮せずに通行経路探索を行ってしまうと、探索結果が使用者に適合しない場合がある。
【００８１】
そこで、本実施形態では、使用者の属性情報を考慮して通行経路探索を行う。すなわち、自分と似た傾向を持つ人物の生体状態を用いて通行経路探索を行う。このように、個々の人物を属性で分類しておくことで、より使用者にあった経路探索が可能となる。
なお、図１１において、ステップＳ４１が目的地取得部に対応し、ステップＳ４５が生体情報取得部に対応し、ステップＳ４６が推奨経路選択部に対応し、ステップＳ４７及び表示部１３が表示部に対応している。また、図１２において、ステップＳ５４〜Ｓ５６及び記憶部２１が生体情報記憶部に対応し、ステップＳ５２が通行経路探索部に対応し、ステップＳ５３が生体情報取得部に対応している。
【００８２】
（効果）
第３の実施形態では、以下の効果が得られる。
（１）通行経路探索装置１０は、使用者の行動傾向を特定する指標である属性情報を予め記憶する。情報記憶装置２０は、使用者とは異なる人物が各通行経路を通行したときに計測した生体情報を、当該生体情報を計測した通行経路と、当該使用者とは異なる人物の属性情報とに対応付けて記憶部２１に記憶する。情報記憶装置２０は、目的地までの通行経路の候補として、使用者の属性情報に適合した通行経路を優先的に探索する。
このように、使用者と似た行動傾向を有するプローブ端末保有者の生体情報を用いて通行経路探索を行うことができるので、さらに深く使用者の傾向を反映した通行経路探索が可能となる。
【００８３】
（２）属性情報は、性別、年齢、職業、在籍地、通行手段、運転経験、道路種別、時間、天候の少なくとも１つとする。このように、属性情報として、緊張状態や弛緩状態（眠気等）に加えて、特に行動傾向が反映されやすい情報を用いるので、様々な状況に対応した通行経路探索が可能となり、好適である。
【００８４】
（第４の実施形態）
次に、本発明の第４の実施形態について説明する。
この第４の実施形態は、上述した第３の実施形態において、使用者の属性に応じた通行経路探索を行っているのに対し、さらに同じ属性内でも分布を持つものに対して補正を施すようにしたものである。
（構成）
第４の実施形態における通行経路探索システム１は、図１０と同様の構成を有する。
本実施形態では、同じ属性内でも、個々の人物によって生体情報にばらつきがあることを考慮し、同じ属性の中でさらにいくつかの属性に分類するものとする。
図１４は、ある属性の人物がある経路を通行したときの血圧値の出現頻度である。この図１４に示すように、年齢・性別等の属性が全く同じ条件で同じ道路を通行した場合でも、人によって血圧値にばらつきが生じる。これは、高速道路での運転が、緊張により血圧が高くでる人物と、全く動じない人物とがいるためである。
【００８５】
そこで、使用者の属性を、使用者の生体情報の傾向に応じていくつかの属性種別に分類する。ここでは、使用者の生体情報の傾向が標準的な生体情報の傾向と一致する場合、属性種別を「標準」とする。一方、使用者の生体情報の傾向が標準的な生体情報の傾向からずれている場合（例えば、同じ属性（年齢・性別等）の人と比べて血圧・体温が高めである等）は、属性種別を「補正」とする。属性種別を「標準」とするか「補正」とするかは、予め自身の生体情報の傾向をもとに使用者が設定し、属性情報記憶部１６に記憶しておくものとする。
【００８６】
図１４に示す例では、同じ属性内で統計的に最も多い生体情報の傾向を有する群の属性種別を「標準」とする。そして、これに対して低い方の裾野部を「補正Ｌ」、高い方の裾野部を「補正Ｈ」としている。なお、属性種別の分類方法は適宜設定可能である。
そして、このような生体情報の傾向を考慮して、使用者に適合した経路探索を行う。
【００８７】
（生体情報取得処理）
図１５は、本実施形態における情報記憶装置２０の処理部２３で実行する生体情報取得処理手順を示すフローチャートである。この生体情報取得処理は、図１２におけるステップＳ５２の後にステップＳ６１の処理を追加したことを除いては、図１２と同様の処理を行う。
ステップＳ６１では、処理部２３は、使用者の属性種別（標準／補正）に応じて、記憶部２１から取得する生体情報を補正する。ここでは、使用者の属性種別が「補正」である場合にのみ、属性種別に適合した生体情報を記憶部２１から取得し直し、前記ステップＳ５３に移行する。具体的には、使用者の生体情報の傾向とマッチする別の属性分類を検索し、前記ステップＳ５２で設定した通行経路候補の生体情報として、検索した属性分類の生体情報を取得し直す。一方、使用者の属性種別が「標準」である場合には、取得する生体情報の補正は行わずにそのまま前記ステップＳ５３に移行する。
【００８８】
（動作）
次に、第４の実施形態の動作について説明する。
通行経路探索装置１０を搭載した車両の乗員が、ナビゲーション装置を操作して出発地Ｓ及び目的地Ｇを入力すると、通行経路探索装置１０は、出発地の情報と目的地の情報とを乗員の属性情報と共に情報記憶装置２０に送信する（図１１のステップＳ４４）。このとき、通行経路探索装置１０は、乗員の生体情報の傾向に応じた属性種別（標準／補正）も併せて情報記憶装置２０に送信する。
【００８９】
すると、情報記憶装置２０は、通行経路探索装置１０が送信した出発地及び目的地の情報と属性情報を受信し（図１５のステップＳ５１でＹｅｓ）、先ず、一般的な探索ロジックにより、出発地と目的地とを結ぶ通行経路を探索する。そして、探索した通行経路のうち、乗員の属性情報にマッチした通行経路を通行経路候補として探索し、その通行経路候補の生体情報を記憶部２１から取得する（ステップＳ５２）。
【００９０】
例えば図６に示すように、出発地と目的地との間に、ノードＡ１〜Ａ３及びＢ１〜Ｂ３が存在しており、情報記憶装置２０が、Ｓ→Ａ１→Ｂ１→Ｇ（経路Ａ）、Ｓ→Ａ２→Ｂ２→Ｇ（経路Ｂ）、Ｓ→Ａ３→Ｂ３→Ｇ（経路Ｃ）の３つの経路を探索したものとする。この場合、情報記憶装置２０は、上記３つの経路のうち、乗員の属性情報とマッチした人物がよく通行している経路を通行経路候補として選択し、当該経路上の各走行区間における乗員の属性情報にマッチした生体情報を記憶部２１から取得する。
【００９１】
ここで、乗員の属性種別が「補正」である場合には、取得する生体情報を補正する（ステップＳ６１）。例えば、乗員の属性情報とマッチした通行経路候補として、上記３つの経路のうち経路Ａを選択したものとする。ここで、乗員の属性情報が属性分類Ａに属しており、経路Ａの走行区間を属性分類Ａの人物が通行したときの血圧分布が図１６（ａ）のようになっているものとする。このとき、乗員（使用者）の属性種別が、乗員の生体情報傾向が標準よりも低い裾野部に属することを示す「補正Ｌ」である場合には、この属性分類Ａの生体情報（平均値）を用いて通行経路探索を行うと、自分に合った経路探索を行えない。
【００９２】
そのため、この場合には、乗員の生体情報の傾向とマッチした別の属性分類として、同じ経路Ａでの血圧分布の基準値（平均値）が、属性分類Ａの基準値（平均値）よりも低くなっている属性分類を検索する。このとき、図１６（ｂ）に示すように、属性分類Ｂでの血圧分布がそれに相当する場合、属性分類Ｂが乗員の生体情報の傾向とマッチした属性分類であると判断する。そして、経路Ａの走行区間の生体情報として、属性分類Ｂの生体情報を取得し直す。すなわち、経路Ａの走行区間の生体情報を、属性分類Ａの生体情報から属性分類Ｂの生体情報へ補正する。
【００９３】
また、このとき、上記３つの通行経路候補（経路Ａ〜Ｃ）のうち、属性分類Ｂの人物がよく通行している経路についても通行経路候補として選択し、当該経路上の各走行区間における生体情報を記憶部２１から取得するようにしてもよい。
そして、取得したこれらの生体情報を通行経路探索装置１０に送信する（ステップＳ５３）。通行経路探索装置１０は、情報記憶装置２０から出発地Ｓと目的地Ｇとの間の各通行経路における生体情報を受信すると（図１１のステップＳ４５）、その情報を用いて推奨経路を探索する（ステップＳ４６）。このとき、通行経路探索装置１０は、複数の通行経路候補の中から、生体情報に悪影響の少ない経路を推奨経路として選択し、表示部１３にこれを表示する（ステップＳ４７）。このとき、図４に示すように、推奨経路と共に生体情報も表示する。
【００９４】
その後、表示部１３の表示を確認した乗員が、所定数の推奨経路のうち自身が採用する経路を確定すると、ナビゲーション装置は乗員が確定した経路でのナビゲーションを開始する。
同じ属性を有する人物が同じ通行経路を走行した場合であっても、生体情報への影響度は大きく異なる。例えば、同じ年齢や運転経験、時間帯や天候であっても、高速道路を走行したときに緊張により血圧が高くでる人物と、全く動じない人物とがいる。そのため、このような同一属性内での生体情報の傾向の違いを考慮せずに、同一属性で通行経路探索を行ってしまうと、探索結果が使用者に適合しない場合がある。
【００９５】
そこで、本実施形態では、使用者の生体情報の傾向（属性種別）を考慮して通行経路探索を行う。これにより、自分と似た傾向を持つ人物の生体状態を用いて通行経路探索を行うことができ、より使用者にあった経路探索が可能となる。
なお、図１５において、ステップＳ６１が通行経路補正部に対応している。また、属性情報記憶部１６が属性種別記憶部に対応している。
【００９６】
（効果）
第４の実施形態では、以下の効果が得られる。
（１）通行経路探索装置１０は、同一属性情報を有する人物毎に分類した同一属性分類内で、個々の人物によりばらつきを持つ生体情報について、使用者の前記生体情報が標準範囲内であるか否かを示す属性種別を予め記憶する。そして、情報記憶装置２０は、使用者の属性情報に適合した通行経路の候補を、使用者の属性種別に基づいて補正する。
このように、使用者と似た生体情報の傾向を有するプローブ端末保有者の生体情報を用いて通行経路探索を行うことができるので、さらに深く使用者の傾向を反映した通行経路探索が可能となる。
【００９７】
（第５の実施形態）
次に、本発明の第５の実施形態について説明する。
この第５の実施形態は、使用者の属性情報を計測する機能を備え、計測した属性情報を通行経路探索で用いるようにしたものである。
（構成）
図１７は、第５の実施形態における通行経路探索システム１の概略構成図である。
この通行経路探索システム１は、図１０に示す通行経路探索装置１０において、生体情報計測部１７を追加したことを除いては、図１０と同様の構成を有する。
生体情報計測部１７は、使用者の属性情報を計測する。この生体情報計測部１７は、例えば、血圧計、心電図センサ、脈波センサ、呼吸センサ、脳波センサ、温度センサ、撮像装置等を含んで構成する。なお、これら各種の生体情報計測器がBluetooth（登録商標）等の通信機器を内蔵しており、通行経路探索装置１０がその受信機能を有している場合には、生体情報計測器で計測した生体情報を通信により受信するようにしてもよい。
【００９８】
（通行経路探索処理）
図１８は、本実施形態における通行経路探索装置１０の処理部１２で実行する通行経路探索処理手順を示すフローチャートである。この通行経路探索処理は、所定時間毎に繰り返し実行する。
先ずステップＳ７１で、処理部１２は、前記ステップＳ１と同様に、使用者が目的地の情報を入力したか、即ち入力部１１を介して目的地の情報を受信したか否かを判定する。そして、目的地の情報を入力したと判定した場合にはステップＳ７２に移行し、目的地の情報が未入力であると判定した場合には通行経路探索処理を終了する。
ステップＳ７２では、処理部１２は、前記ステップＳ２と同様に、出発地を設定する。
【００９９】
次にステップＳ７３では、処理部１２は、属性情報取得部１６を参照し、使用者の属性情報を取得し、ステップＳ７４に移行する。
ステップＳ７４では、処理部１２は、生体情報計測部１７で計測した生体情報を取得し、ステップＳ７５に移行する。
ステップＳ７５では、前記ステップＳ７１で取得した目的地の情報と、前記ステップＳ７２で設定した出発地の情報と、前記ステップＳ７３で取得した属性情報と、前記ステップＳ７４で取得した生体情報とを送受信部１４に送信し、ステップＳ７６に移行する。これにより、送受信部１４から情報記憶装置２０へ、目的地の情報と出発地の情報と属性情報と生体情報とを送信することになる。
【０１００】
ステップＳ７６では、処理部１２は、情報記憶装置２０が目的地、出発地、属性情報及び生体情報の受信を受けて送信した、出発地・目的地間の複数の通行経路候補の生体情報を、送受信部１４を介して受信する。このとき受信する生体情報は、出発地と目的地とを結ぶ通行経路のうち、使用者の属性情報にマッチした通行経路の生体情報である。
次にステップＳ７７では、処理部１２は、前記ステップＳ７６で受信した生体情報を用いて、複数の通行経路候補の中から使用者に適合した最適な経路（推奨経路）を探索する。例えば、推奨経路は、属性情報にマッチした通行経路のうち、生体情報や、目的地までの所要時間、目的地までの距離などの経路探索の優先項目に基づいて所定数（例えば３経路）選択する。
【０１０１】
ステップＳ７８では、処理部１２は、前記ステップＳ７７で探索した推奨経路の情報と、当該推奨経路に対応する生体情報とを表示部１３に送信し、通行経路探索処理を終了する。これにより、表示部１３に推奨経路を表示する。表示部１３に推奨経路を表示する際には、各推奨経路を、それぞれ対応する生体情報と共に表示する。
【０１０２】
（生体情報取得処理）
図１９は、本実施形態における情報記憶装置２０の処理部２３で実行する生体情報取得処理手順を示すフローチャートである。この生体情報取得処理は、図１５におけるステップＳ５１をステップＳ８１に置換し、ステップＳ６１をステップＳ８２に置換したことを除いては、図１５と同様の処理を行う。
ステップＳ８１では、処理部２３は、通行経路探索装置１０から目的地の情報、出発地の情報、属性情報及び生体情報を受信したか否かを判定する。そして、これらを受信したと判定した場合には前記ステップＳ５２に移行し、これらを受信していないと判定した場合には、前記ステップＳ５４に移行する。
【０１０３】
ステップＳ８２では、処理部２３は、前記ステップＳ８１で受信した生体情報をもとに、使用者の属性種別（標準／補正）を設定する。具体的には、受信した使用者の生体情報に基づいて、直近の所定期間における使用者の生体情報の傾向を判別する。例えば、その日の血圧値が、使用者と同一の属性分類での標準値（標準範囲）と一致していると判断した場合には、使用者の属性種別を「標準」とする。一方、その日の血圧値が、使用者と同一の属性分類での標準値（標準範囲）から逸脱していると判断した場合には、使用者の属性種別を「補正」とする。
【０１０４】
そして、このステップＳ８２では、処理部２３は、設定した使用者の属性種別（標準／補正）に応じて、記憶部２１から取得する生体情報を補正する。ここでは、使用者の属性種別が「補正」である場合にのみ、属性種別に適合した生体情報を記憶部２１から取得し直し、前記ステップＳ５３に移行する。補正方法については、前記ステップＳ６１と同様の方法を用いる。一方、使用者の属性種別が「標準」である場合には、取得する生体情報の補正は行わずにそのまま前記ステップＳ５３に移行する。
【０１０５】
（動作）
次に、第５の実施形態の動作について説明する。
通行経路探索装置１０を搭載した車両の乗員が、ナビゲーション装置を操作して出発地及び目的地を入力すると、通行経路探索装置１０は、出発地の情報と目的地の情報とを、乗員の属性情報と乗員の生体情報と共に情報記憶装置２０に送信する（図１８のステップＳ７５）。
すると、情報記憶装置２０は、通行経路探索装置１０が送信した出発地及び目的地の情報と属性情報と生体情報とを受信し（図１９のステップＳ８１でＹｅｓ）、先ず、一般的な探索ロジックを用いて、出発地と目的地とを結ぶ通行経路を探索する。そして、探索した通行経路のうち、乗員の属性情報にマッチした通行経路を通行経路候補として探索し、その通行経路候補の生体情報を記憶部２１から取得する（ステップＳ５２）。
【０１０６】
例えば図６に示すように、出発地Ｓと目的地Ｇとの間に、ノードＡ１〜Ａ３、Ｂ１〜Ｂ３が存在しており、情報記憶装置２０が、Ｓ→Ａ１→Ｂ１→Ｇ（経路Ａ）、Ｓ→Ａ２→Ｂ２→Ｇ（経路Ｂ）、Ｓ→Ａ３→Ｂ３→Ｇ（経路Ｃ）の３つの経路を探索したものとする。この場合、情報記憶装置２０は、上記３つの経路のうち、乗員の属性情報とマッチした人物がよく通行している経路を通行経路候補として選択し、当該経路上の各走行区間における乗員の属性情報にマッチした生体情報を記憶部２１から取得する。
【０１０７】
また、このとき、乗員の生態情報をもとに、乗員の属性種別を判別する。具体的には、直近の所定期間における使用者の生体情報をもとに、乗員の生体情報の傾向（例えば、血圧が高めであるとか、体温が高めであるとか）を判別する。そして、乗員の直近の生体情報が、予め設定した属性分類の標準値であると判断した場合には、属性種別を「標準」とし、標準値からずれていると判断した場合には、属性種別を「補正」とする。
【０１０８】
そして、乗員の属性種別が「補正」であると判断した場合には、取得する生体情報を補正する（ステップＳ８２）。例えば、乗員の属性情報とマッチした通行経路候補として、上記３つの経路のうち経路Ａを選択したものとする。ここで、乗員の属性情報が属性分類Ａに属しており、経路Ａの走行区間を属性分類Ａの人物が通行したときの血圧分布が図１６（ａ）のようになっているものとする。このとき、乗員（使用者）の属性種別が、乗員の生体情報傾向が標準よりも低い裾野部に属することを示す「補正Ｌ」である場合には、この属性分類Ａの生体情報（平均値）を用いて通行経路探索を行うと、自分に合った経路探索を行えない。
【０１０９】
そのため、この場合には、乗員の生体情報の傾向とマッチした別の属性分類として、同じ経路Ａでの血圧分布の基準値（平均値）が、属性分類Ａの基準値（平均値）よりも低くなっている属性分類を検索する。このとき、図１６（ｂ）に示すように、属性分類Ｂでの血圧分布がそれに相当する場合、属性分類Ｂが乗員の生体情報の傾向とマッチした属性分類であると判断する。そして、経路Ａの走行区間の生体情報として、属性分類Ｂの生体情報を取得し直す。すなわち、経路Ａの走行区間の生体情報を、属性分類Ａの生体情報から属性分類Ｂの生体情報へ補正する。
【０１１０】
また、このとき、上記３つの通行経路候補（経路Ａ〜Ｃ）のうち、属性分類Ｂの人物がよく通行している経路についても通行経路候補として選択し、当該経路上の各走行区間における生体情報を記憶部２１から取得するようにしてもよい。
そして、取得したこれらの生体情報を通行経路探索装置１０に送信する（ステップＳ５３）。通行経路探索装置１０は、情報記憶装置２０から出発地Ｓと目的地Ｇとの間の各通行経路における生体情報を受信すると（図１１のステップＳ４５）、その情報を用いて推奨経路を探索する（ステップＳ４６）。このとき、通行経路探索装置１０は、複数の通行経路候補の中から、生体情報に悪影響の少ない経路を推奨経路として選択し、表示部１３にこれを表示する（ステップＳ４７）。このとき、図４に示すように、推奨経路と共に生体情報も表示する。
【０１１１】
その後、表示部１３の表示を確認した乗員が、所定数の推奨経路のうち自身が採用する経路を確定すると、ナビゲーション装置は乗員が確定した経路でのナビゲーションを開始する。
このように、使用者の生体情報の傾向（属性種別）を考慮して通行経路探索を行うので、自分と似た傾向を持つ人物の生体状態を用いて通行経路探索を行うことができ、より使用者にあった経路探索が可能となる。
【０１１２】
また、属性種別は、実際に計測した生体情報をもとに設定するので、直近の使用者の生体情報にマッチした経路探索が可能となる。すなわち、直近の使用者の生体情報の変化にも対応することができる。したがって、その日の体調により別の属性として情報を取得した方が良い場合には、その情報を反映した通行経路探索が可能となる。
なお、図１８において、ステップＳ７１が目的地取得部に対応し、ステップＳ７４が生体情報計測部に対応し、ステップＳ７６が生体情報取得部に対応し、ステップＳ７７が推奨経路選択部に対応し、ステップＳ７８及び表示部１３が表示部に対応している。また、図１９において、ステップＳ８２が属性種別設定部及び通行経路補正部に対応している。
【０１１３】
（効果）
第５の実施形態では、以下の効果が得られる。
（１）通行経路探索装置１０は、使用者の生体情報を計測する。そして、情報記憶装置２０は、使用者の属性情報に適合した通行経路の候補を、使用者の属性種別に基づいて補正する。このとき、実際に計測した生体情報に基づいて使用者の属性種別を設定する。
このように、使用者と似た生体情報の傾向を有するプローブ端末保有者の生体情報を用いて通行経路探索を行うことができるので、さらに深く使用者の傾向を反映した通行経路探索が可能となる。また、使用者の生体情報を実際に計測し、計測した生体情報に基づいて使用者の生体情報の傾向を判別するので、使用者のその日の体調の変化に対応した通行経路探索が可能となる。
【符号の説明】
【０１１４】
１…通行経路探索システム、１０…通行経路探索装置、１１…入力部、１２…処理部、１３…表示部、１４…送受信部、１５…経路選択履歴記憶部、１６…属性情報記憶部、１７…生体情報計測部、２０…情報記憶装置、２１…記憶部、２２…送受信部、２３…処理部、２４…受信部、３０…プローブ端末、３１…送信部、３２…位置情報取得部、３３…生体情報取得部、３４…処理部、３５…属性情報取得部
【図１】
2014163793.tif 000003
【図２】
2014163793.tif 000004
【図３】
2014163793.tif 000005
【図４】
2014163793.tif 000006
【図５】
2014163793.tif 000007
【図６】
2014163793.tif 000008
【図７】
2014163793.tif 000009
【図８】
2014163793.tif 000010
【図９】
2014163793.tif 000011
【図１０】
2014163793.tif 000012
【図１１】
2014163793.tif 000013
【図１２】
2014163793.tif 000014
【図１３】
2014163793.tif 000015
【図１４】
2014163793.tif 000016
【図１５】
2014163793.tif 000017
【図１６】
2014163793.tif 000018
【図１７】
2014163793.tif 000019
【図１８】
2014163793.tif 000020
【図１９】
2014163793.tif 000021